(57)【要約】
【課題】  従来の食器における不都合を解消し、スプーン等を用いて食事をする場合に、内部に入れた御飯等の食物をスプーン等によって容易に、確実に掬い取ることができ、またその際に食物が外に零れ落ちてしまうことのない食器の提供を課題とする。
【解決手段】  茶碗、丼鉢、その他、上部が開口し御飯や副食物を入れて食事に供する容器状の食器であって、食器の上部開口縁１１の少なくとも一部を内方へ湾曲させてなる掬い取り縁１１ａに構成している。また容器状の食器であって、食器の上部開口縁１１の少なくとも一部を内方へ湾曲させてなる掬い取り縁１１ａすると共に、食器の上部開口縁１１の他の一部を外方へ湾曲させてなる吸い口縁１１ｂに構成してある。
【選択図】        図１
0003100608.tif 000002
【実用新案登録請求の範囲】
【請求項１】
茶碗、丼鉢、その他、上部が開口し御飯や副食物を入れて食事に供する容器状の食器であって、食器の上部開口縁の少なくとも一部を内方へ湾曲させてなる掬い取り縁に構成してあることを特徴とする食器。
【請求項２】
茶碗、丼鉢、その他、上部が開口し御飯や副食物を入れて食事に供する容器状の食器であって、食器の上部開口縁の少なくとも一部を内方へ湾曲させてなる掬い取り縁に構成すると共に、食器の上部開口縁の他の一部を外方へ湾曲させてなる吸い口縁に構成してあることを特徴とする食器。
【請求項３】
食器は碗、鉢、弁当箱、深皿、その他の広口の食器であることを特徴とする請求項１又は２に記載の食器。
【考案の詳細な説明】
【技術分野】
【０００１】
本考案は食器に関し、より詳しくは、老人、幼児或いは身障者等においてスプーン等を用いて食器内の御飯等の食物を食する場合に、その食器内の食物をスプーン等で掬い取るのに適した食器に関する。
【背景技術】
【０００２】
近年、高齢化の波と共に種々の介護用品が普及しつつある。介護用の食器についても、介護用のスプーン、フォーク、箸、皿等の容器など、種々のものが提供されつつある。
【考案の開示】
【考案が解決しようとする課題】
【０００３】
しかしながら手等が不自由な介護必要者にとっては、例えスプーンを用いて容器内の御飯等の食物を掬い取って食べるようにした場合においても、従来からある通常の食器では、その中の御飯等の食物を掬い取ることは必ずしも容易ではなかった。即ち、従来の茶碗や鉢等の食器は一般に広口で上にいくにしたがって開いた形状をしているため、スプーンを容器の内側壁に沿って下から掬い上げていっても、身障者にとっては食物をスプーン上に完全には入れることができない場合が多く、やがてスプーンが容器の開口上端に達して食物が容器から零れ落ちてしまうという問題があった。
【０００４】
そこで本考案は上記従来の食器における不都合を解消し、スプーン等を用いて食事をする場合に、内部に入れた御飯等の食物をスプーン等によって容易に、確実に掬い取ることができ、またその際に食物が外に零れ落ちてしまうことのない食器の提供を課題とする。
【課題を解決するための手段】
【０００５】
上記課題を達成するため、本考案の食器は、茶碗、丼鉢、その他、上部が開口し御飯や副食物を入れて食事に供する容器状の食器であって、食器の上部開口縁の少なくとも一部を内方へ湾曲させてなる掬い取り縁に構成してあることを第１の特徴としている。
また本考案の食器は、茶碗、丼鉢、その他、上部が開口し御飯や副食物を入れて食事に供する容器状の食器であって、食器の上部開口縁の少なくとも一部を内方へ湾曲させてなる掬い取り縁に構成すると共に、食器の上部開口縁の他の一部を外方へ湾曲させてなる吸い口縁に構成してあることを第２の特徴としている。
また本考案の食器は、上記第１又は第２の特徴に加えて、食器は碗、鉢、弁当箱、深皿、その他の広口の食器であることを第３の特徴としている。
【考案の効果】
【０００６】
請求項１に記載の食器によれば、前記掬い取り縁は食器の上部開口縁が内方へ湾曲されて構成されているので、掬い取り縁の内面が斜め下ないし下向きとなる。
よって手に持ったスプーン等で食器内にある食物を掬い取るのに、スプーンを食器内面に沿って掬い上げてゆくことで、少なくともスプーンが掬い取り縁に達する地点においては、食物を食器内面からスプーン側に確実に掬い取ることができる。
また掬い取り縁は食器の上部開口縁が内方へ湾曲されて構成されているので、スプーン操作によって食物が掬い取り縁はから外部に零れ落ちるという不都合も生じない。
更に掬い取り縁はあくまで食器の上端開口縁として構成されていることから、その掬い取り縁が大きく内方へ延長された形状とはならず、よって掬い取り縁を構成しても上端開口部が大きく狭まったような形状とはならず、よって食器内をスプーンでくまなく操作できると共に、食物が食器内で隠れたようになることや食器を洗う際に食器内の一部が洗い難くなることもない。
なお、掬い取り縁は必要に応じて食器の上部開口縁の一部或いは全部に構成することができる。
【０００７】
請求項２に記載の食器によれば、食器の上部開口縁の少なくとも一部を内方に湾曲させてなる掬い取り縁に構成したことで、上記第１の特徴による作用効果と同様の効果を奏する。
加えて、食器の上部開口縁の他の一部を外方へ湾曲させてなる吸い口縁を構成してあるので、この吸い口縁に口を当てることで必要に応じて食器内の汁を簡単に吸うことができ、また食器内の食物をスプーン等で容易に吸い口縁まで移動させて口に運ぶことができる。
【０００８】
請求項３に記載の食器によれば、請求項１又は２に記載の構成による上記効果に加えて、食器を碗とすることで、身障者等に使い勝手のよい碗を提供することができる。また食器を鉢とすることで、身障者等に使い勝手のよい鉢を提供することができる。また食器を弁当箱とすることで、身障者等に使い勝手のよい弁当箱を提供することができる。また食器を深皿とすることで、身障者等に使い勝手のよい深皿を提供することができる。その他、スプーン等で食物を掬い取り難い広口の食器でも身障者に使い勝手良く提供することができる。
【考案を実施するための最良の形態】
【０００９】
以下の図面を参照しながら、本考案の実施形態を更に詳細に説明する。
図１は本考案の第１の実施形態を示す食器の斜視図、図２は同じく縦断面図、図３は本考案の第２の実施形態を示す食器の斜視図、図４は同じく縦断面図である。
【００１０】
先ず図１と図２を参照して本考案の第１の実施形態を説明する。
図１、図２に示す食器は、碗或いは鉢とされるもので、これを鉢も含めて食器碗１として説明する。該食器碗１は陶器製、磁器製、プラスチック製、金属製等で構成することができる。
食器碗１は、容器部１０と載置部２０とからなる。容器部１０の内空間は全体として底部から上方にいくに従って広くなるように構成され、容器部１０の上部開口縁１１の一部を掬い取り縁１１ａとして構成し、また上部開口縁１１の他の一部を吸い口縁１１ｂとして構成している。
【００１１】
前記掬い取り縁１１ａは、上部開口縁１１を内方へ湾曲させることで構成している。
湾曲の程度は、掬い取り縁１１ａの先端付近の内面が斜め下向き乃至下向きとなる程度とする。湾曲の曲がり具合はスプーンＰが掬い取り縁１１ａの内面をスムーズに移動できるような曲がり具合とする。内面に折れ曲がり線が付くような極端な角度をつけるのは好ましくない。
また内方へ湾曲する掬い取り縁１１ａの内方への進出寸法は、例えば１０ｍｍ未満程度として、あくまで縁として形成され、掬い取り縁１１ａの存在が縁の領域を越えて内方へ大きく延長されることで、上端開口径が大きく狭められたような形状とはならないようにしている。
また掬い取り縁１１ａの上部開口縁１１の円周方向における幅は、少なくとも通常使用するスプーンの幅程度以上とするのが好ましい。掬い取り縁１１ａは上部開口縁１１の全周に設けることもできるが、一部に設けてもよい。
【００１２】
上記のようにして掬い取り縁１１ａを構成することで、掬い取り手段であるスプーンＰを用いて、食器碗１の内底から食器碗１の内側壁に沿って掬い取り縁１１ａのある方向へ掬い上げてゆくことで、食器碗１内の食物を前記掬い取り縁１１ａのところで確実にスプーンＰへ移行させて掬い取ることができる。
【００１３】
また容器部１０の上部開口縁１１の他の一部に、該上部開口縁１１を外方へ湾曲させることで吸い口縁１１ｂを構成している。前記吸い口縁１１ｂは、上部開口縁１１の円周の一部を少し外方へ進出させており、全体として容器部１０の上端開口が吸い口縁１１ｂ側ヘ多少広がった形状になされている。なお湾曲の程度は、吸い口縁１１ｂに口をあてたときに内部の汁等が吸い易く、且つ口の横から零れ落ちたりしない程度とする。
吸い口縁１１ｂを構成することで、そこに口をあてて食器内の汁を簡単に吸うことができる。また汁気の多い食物等をスプーンＰで食器碗１の内側壁に沿わせながら前記吸い口縁１１ｂまで移動させ、容易に口に入れることができる。
【００１４】
なお上記第１の実施形態においては、鉢も含めた食器碗１を図示したが、カレー皿やグラタン皿、スープ皿のような深皿も本考案の容器状の食器に含まれるものとする。勿論、容器の形状は丸いもの、細長いものも含まれる。
【００１５】
次に図３、図４を参照して本考案の第２の実施形態を説明する。
図３、４に示す食器は、いわゆる幕の内弁当等の弁当箱やその他の箱型容器からなる食器で、これを箱型の食器箱３として説明する。
この食器箱３は、例えば使い捨ての弁当箱の容器として用いることが出来るが、その場合の材質としてはプラスチック製、アルミニウム製が好ましい。また繰り返して使用する食器箱３としては陶磁器製、ステンレス製が好ましい。
図３、４に示す食器箱３の場合は、該食器箱３を構成する容器３０の上部開口縁３１の全周を掬い取り縁３１ａとして構成している。勿論、掬い取り縁３１ａは四辺或いは全周のうちの一部に構成するようにしてもよい。
掬い取り縁３１ａの構成は既述した上記図１、２に示す掬い取り縁１１ａの場合と同様である。
食器箱３に掬い取り縁３１ａを構成することで、食器箱３内の食物をスプーン等を用いて最寄の掬い取り縁３１ａのところで確実に掬い取ることができる。
なお、食器箱３には前記容器３０を蓋する蓋を組み合わせたものであってもよい。
【図面の簡単な説明】
【００１６】
【図１】本考案の第１の実施形態を示す食器の斜視図である。
【図２】本考案の第１の実施形態を示す食器の縦断面図である。
【図３】本考案の第２の実施形態を示す食器の斜視図である。
【図４】本考案の第２の実施形態を示す食器の縦断面図である。
【符号の説明】
【００１７】
１      食器碗
３      食器箱
１０    容器部
１１    上部開口縁
１１ａ  掬い取り縁
１１ｂ  吸い口縁
２０    載置部
３０    容器
３１    上部開口縁
３１ａ  掬い取り縁
Ｐ      スプーン
【図１】
0003100608.tif 000003
【図２】
0003100608.tif 000004
【図３】
0003100608.tif 000005
【図４】
0003100608.tif 000006